(57)【要約】      （修正有）【課題】同一の操作手段で蓋体の開動作と閉動作とを操作できる開閉装置を提供すること。【解決手段】収容空間を開く開位置と収容空間を閉じる閉位置との間で変位する蓋体１と、ケース体に対して変位可能に取り付けられ一部がケース体の外部に露出している操作手段２と、操作手段に接続され操作手段の変位に従動して変位する伝達手段３と、蓋体に接続され蓋体を開位置に変位させる開駆動位置と蓋体を閉位置に変位させる閉駆動位置との間で変位する駆動手段４と、駆動手段に接続され押圧されると駆動手段を開駆動位置に変位させる第１スイッチ手段５と、駆動手段に接続され押圧されると駆動手段を閉駆動位置に変位させる第２スイッチ手段６と、伝達手段に接続され伝達手段の変位に従動して第１スイッチ手段と第２スイッチ手段とを交互に押圧する切換手段７とから構成する。【選択図】図２
2007237974.tif 000002
【特許請求の範囲】
【請求項１】
収容空間をもつケース体に取り付けられ、該収容空間を開く開位置と該収容空間を閉じる閉位置との間で変位する蓋体と、
該ケース体に対して変位可能に取り付けられ、一部が該ケース体の外部に露出している操作手段と、
該操作手段に接続され、該操作手段の変位に従動して変位する伝達手段と、
該蓋体に接続され、該蓋体を開位置に変位させる開駆動位置と該蓋体を閉位置に変位させる閉駆動位置との間で変位する駆動手段と、
該駆動手段に接続され、押圧されると該駆動手段を開駆動位置に変位させる第１スイッチ手段と、
該駆動手段に接続され、押圧されると該駆動手段を閉駆動位置に変位させる第２スイッチ手段と、
該伝達手段に接続され、該伝達手段の変位に従動して該第１スイッチ手段と該第２スイッチ手段とを交互に押圧する切換手段と、を備え、
該駆動手段は該操作手段と該切換手段との間の位置に配され、
該伝達手段は、一端部である操作端部が該操作手段に接続され、他端部である切換端部が該切換手段に接続され、該操作端部と該切換端部とを連絡する連絡部が該駆動手段に干渉しない位置に延びていることを特徴とする開閉装置。
【請求項２】
前記伝達手段は枠状をなし、該駆動手段は該伝達手段の内部に収容されている請求項１に記載の開閉装置。
【請求項３】
前記切換手段は、一端が前記伝達手段に枢支されている傾動部材と、前記ケース体に設けられている案内部とを持ち、
該傾動部材は、一端側に形成され前記伝達手段に枢支される枢支部と、他端側に形成され前記第１スイッチ手段および前記第２スイッチ手段を押圧する押圧部と、該枢支部と該押圧部との間の位置に形成されている係合部と、を持ち、
該案内部は該係合部と係合して該傾動部を案内し、
前記操作手段を操作すると、該係合部が該案内部に案内され該傾動部材が傾動して該押圧部が前記第１スイッチと前記第２スイッチとを交互に押圧する請求項１に記載の開閉装置。
【発明の詳細な説明】
【技術分野】
【０００１】
本発明の開閉装置は、蓋体で収容空間を開閉する収容装置に配設され、蓋体を開閉するための蓋体装置に関する。本発明の開閉装置は、例えば、自動車のコンソールボックス等に配設される。
【背景技術】
【０００２】
収容装置に配設され蓋体を開閉動作させるための開閉装置としては、従来より種々のものが知られている。開閉装置においては、蓋体を開閉動作させるための操作手段を設けるのが一般的である（例えば、特許文献１参照）。
【０００３】
特許文献１に紹介されている従来の開閉装置には、蓋体を開動作させる為の操作手段と蓋体を閉動作させるための操作手段とが設けられている。この種の開閉装置では、蓋体を開閉操作するのに２つの操作手段を使い分ける必要があり、例えばユーザーが手探りで蓋体を開閉操作し難い問題があった。また、２つの操作手段がケース体の外部に露出することで、収容装置の意匠性が悪くなる問題もあった。
【特許文献１】特開２００２−３６２２３７号公報
【発明の開示】
【発明が解決しようとする課題】
【０００４】
本発明は上記事情に鑑みて成されたものであり、同一の操作手段で蓋体の開動作と閉動作とを操作できる開閉装置を提供することを目的とする。
【課題を解決するための手段】
【０００５】
上記課題を解決する本発明の開閉装置は、収容空間をもつケース体に取り付けられ、収容空間を開く開位置と収容空間を閉じる閉位置との間で変位する蓋体と、ケース体に対して変位可能に取り付けられ、一部がケース体の外部に露出している操作手段と、操作手段に接続され、操作手段の変位に従動して変位する伝達手段と、蓋体に接続され、蓋体を開位置に変位させる開駆動位置と蓋体を閉位置に変位させる閉駆動位置との間で変位する駆動手段と、駆動手段に接続され、押圧されると駆動手段を開駆動位置に変位させる第１スイッチ手段と、駆動手段に接続され、押圧されると駆動手段を閉駆動位置に変位させる第２スイッチ手段と、伝達手段に接続され、伝達手段の変位に従動して第１スイッチ手段と第２スイッチ手段とを交互に押圧する切換手段と、を備え、駆動手段は操作手段と切換手段との間の位置に配され、伝達手段は、一端部である操作端部が操作手段に接続され、他端部である切換端部が切換手段に接続され、操作端部と切換端部とを連絡する連絡部が駆動手段に干渉しない位置に延びていることを特徴とする。
【０００６】
本発明の開閉装置は、下記の構成（１）〜（２）の何れかを備えるのが好ましい。構成（１）〜（２）の複数を備えるのが望ましい。
（１）上記伝達手段は枠状をなし、駆動手段は伝達手段の内部に収容されている。
（２）上記切換手段は、一端が上記伝達手段に枢支されている傾動部材と、上記ケース体に設けられている案内部とを持ち、傾動部材は、一端側に形成され上記伝達手段に枢支される枢支部と、他端側に形成され上記第１スイッチ手段および上記第２スイッチ手段を押圧する押圧部と、枢支部と押圧部との間の位置に形成されている係合部と、を持ち、案内部は係合部と係合して傾動部を案内し、上記操作手段を操作すると、係合部が案内部に案内され傾動部材が傾動して押圧部が上記第１スイッチと上記第２スイッチとを交互に押圧する。
【発明の効果】
【０００７】
本発明の開閉装置において、操作手段を操作する（変位させる）と、伝達手段が変位し、切換手段が第１スイッチ手段または第２スイッチ手段を押圧する。切換手段が第１スイッチ手段を押圧すると、第１スイッチ手段が駆動手段を開駆動位置に変位させる。駆動手段は自身が開駆動位置に変位して、蓋体を開位置に変位させる。切換手段が第２スイッチ手段を押圧すると、第２スイッチ手段が駆動手段を閉駆動位置に変位させる。駆動手段は自身が閉駆動位置に変位して、蓋体を閉位置に変位させる。
【０００８】
操作手段を操作することで、切換手段が第１スイッチ手段と第２スイッチ手段とを交互に押圧するため、本発明の開閉装置によると、１つの操作手段で蓋体を開閉操作できる。したがって、ユーザーは手探りで蓋体を開閉操作できる。また、操作手段が１つのみで済むため、本発明の開閉装置を設けた収容装置は、意匠性に優れたものとなる。
【０００９】
また、本発明の開閉装置は、操作手段→駆動手段→切換手段の順に各手段を配している。操作手段と切換手段とを接続する伝達手段は、操作手段に接続されている操作端部と、切換手段に接続されている切換端部と、を連絡する連絡部が駆動手段に干渉しない位置に延びている。例えば、操作手段→切換手段→駆動手段の順に各手段を配し、操作手段と切替手段とを直接接続するとともに切換手段と駆動手段とを直接接続する場合にも、１つの操作手段で蓋体を開閉操作できる。しかし、この場合には、駆動手段は蓋体に接続されるため、操作手段および駆動手段がケース体の外部に（例えば蓋体がケース体の上部に配される場合であれば、蓋体の上部に）露出する。したがってこの場合には、収容装置の意匠性が悪化する。上述したように、本発明の開閉装置では、操作手段→駆動手段→切換手段の順に各手段を配することで、駆動手段がケース体の外部に露出することはない。また、操作手段と切換手段とを接続する伝達手段は、連絡部が駆動手段に干渉しない位置に延びているため、操作手段→駆動手段→切換手段の順に各手段を配しつつ、駆動手段と伝達手段とを確実に動作させ得る。このため本発明の開閉装置は小型化でき、省スペース化を実現できる。
【００１０】
本発明の開閉装置が上記構成（１）を備える場合には、伝達手段を単純な形状にでき、開閉装置を安価に製造できる利点がある。
【００１１】
本発明の開閉装置が上記構成（２）を備える場合には、確実に動作する切換手段を単純な形状にできる利点がある。
【発明を実施するための最良の形態】
【００１２】
以下、本発明の開閉装置を図面を基に説明する。
【実施例】
【００１３】
（実施例）
実施例の開閉装置は、自動車のコンソールボックスに配設されるものである。実施例の開閉装置は、上記構成（１）および（２）を備える。実施例の開閉装置を模式的に表す一部切り欠き分解斜視図を図１に示す。実施例の開閉装置の動作を模式的に表す説明図を図２〜図９に示す。以下、実施例において上、下、左、右、前、後とは図１に示す上、下、左、右、前、後を指す。また、実施例において時計回り、反時計回りとは、図１における時計回り、反時計回りを指す。
【００１４】
実施例の開閉装置は、蓋体１と、操作手段２と、伝達手段３と、駆動手段４と、第１スイッチ手段５と、第２スイッチ手段６と、切換手段７と、を備える。
【００１５】
図１に示すように、コンソールボックスはケース体８を備える。ケース体８は上方に開口する箱状をなす。ケース体８の側壁は、内周側壁８０と外周側壁８１との２重構造になっている。ケース体８のなかで、内周側壁８０の内部が収容空間８５となる。ケース体８の上部は図略のカバー体で覆われている。カバー体には、ケース体８の開口に対応する位置に開口が形成されている。
【００１６】
実施例の開閉装置は２つの蓋体１を持つ。各蓋体１はケース体８の長手方向に延設されている。一方の蓋体１である左側蓋体１０は図１中左側に配され、他方の蓋体１である右側蓋体１１は図１中右側に配されている。各蓋体１は、長尺板状をなす蓋本体１５と、蓋本体１５の長手方向の２端部に形成されている脚部１６とを持つ。左側蓋体１０および右側蓋体１１は、脚部１６が内周側壁８０の内側に枢支されてケース体８に取り付けられている。左側蓋体１０および右側蓋体１１は回動して、蓋本体１５が収容空間８５を閉じる閉位置（図１、２、３）と、蓋本体１５が内周側壁８０と外周側壁８１との間に収容されて収容空間８５を開く開位置（図４、５、６、７）との間を変位する。右側蓋体１１の２つの脚部１６（右前脚部１６ａ、右後脚部１６ｂ）は、下端部がギア状をなす。左側蓋体１０の後側の脚部１６（左後脚部１６ｃ）もまた、下端部がギア状をなす。右側蓋体１１の右後脚部１６ｂと、左側蓋体１０の左後脚部１６ｃとは、２つの蓋接続ギア１７を介して接続されている。また、右側蓋体１１の右後脚部１６ｂには、右側蓋体１１および左側蓋体１０を緩やかに回動させるためのダンパ手段１８が接続されている（図５）。
【００１７】
ケース体８には、略板状の２つのベース体８６が固定されている。一方のベース体８６である上側ベース体８６ａは、内周側壁８０の前面上側に固定されている。他方のベース体８６である下側ベース体８６ｂは、内周側壁８０の前面下側に固定されている。
【００１８】
上側ベース体８６ａの上部には、枠状の操作保持部８７が形成されている。操作保持部８７は上方に向けて開口する略コ字の枠状をなし、下壁には貫通孔が形成されている。操作手段２は、略柱状の押圧端２０と押圧端２０から延びる略柱状の脚部２１とを持つ。操作手段２は、脚部２１が操作保持部８７の貫通孔に挿通され、押圧端２０の下側部分が２つの操作保持部８７のコ字内部に収容されている。操作手段２は、操作保持部８７に案内されつつ上下にスライド移動して、ケース体８に対して変位する。押圧端２０の下側部分と操作保持部８７との間には図略の第１付勢手段が介在し、操作手段２は上側に付勢されている。押圧端２０の上側部分は、ケース体８の外部に露出している。
【００１９】
操作手段２には伝達手段３が接続されている。伝達手段３は、左右に延び脚部２１の下端に取り付けられている操作端部３０と、操作端部３０の左端と右端とからそれぞれ下方に延びる連絡部３１と、２つの連絡部３１の下端を連結する切換端部３２と、を持つ。伝達手段３は枠状をなす。
【００２０】
駆動手段４は、蓋体１に接続されている蓋体駆動部材４０と、蓋体駆動部材４０に接続されるとともに後述する第１スイッチ手段５および第２スイッチ手段６に接続されているアーム部材４１とをもつ。蓋体駆動部材４０およびアーム部材４１は、別体からなり、それぞれ上側ベース体８６ａに枢支されている。駆動手段４は、操作手段２と後述する切換手段７との間の位置に配されている。
【００２１】
蓋体駆動部材４０は、扇状をなすギア部４２と、扇状をなす入力部４３とを持つ。入力部４３とギア部４２とは同軸的に固定され、内周側壁８０（前壁）および上側ベース体８６ａに枢支されている。ギア部４２は内周側壁８０の内側に配されている。入力部４３は内周側壁８０の外側（上側ベース体８６ａと外周側壁８１との間）に配されている。ギア部４２は蓋体１の右前脚部１６ａと噛み合う。ギア部４２には、弧状をなす駆動ガイド溝４４が形成されている。駆動ガイド溝４４には、内周側壁８０に形成されている突起状のストッパが挿通されている。入力部４３には直線状に延びる長孔４５が形成されている。入力部４３の長孔４５には、ターンオーバースプリングからなる第２付勢手段４６の一端（スライド端部４６ａ）が挿通されている。スライド端部４６ａの先端は、長孔４５の前側に露出している。第２付勢手段４６の他端は下側ベース体８６ｂに枢支されている。第２付勢手段４６は、蓋体駆動部材４０を付勢して、図２に示す蓋体駆動部材の閉駆動位置と、図４に示す蓋体駆動部材の開駆動位置と、の２つの位置に配する。
【００２２】
アーム部材４１は、第１アーム体４７と第２アーム体４８とが一体化されてなる。第１アーム体４７は略Ｚ字状をなし、左側に配されている。第２アーム体４８は、左右反転した略Ｚ字状をなし、右側に配されている。第１アーム体４７の下端面（第１押圧面４７ａ）と第２アーム体４８の下端面（第２押圧面４８ａ）とは互いに対向しつつ離間している。アーム部材４１が回動する際に第１押圧面４７ａおよび第２押圧面４８ａが変位する軌跡は、蓋体駆動部材４０が回動する際に入力部４３の長孔４５が変位する軌跡と交叉している。図２に示すように、第１アーム体４７の左上部には貫通孔状の第１アーム枢支孔４７ｂが形成されている。第２アーム体４８の右上部には貫通孔状の第２アーム枢支孔４８ｂが形成されている。第１アーム枢支孔４７ｂには後述する第１スイッチ手段５が接続され、第２アーム枢支孔４８ｂには後述する第２スイッチ手段６が接続されている。駆動手段４は、伝達手段３の内部に収容されている。上述したように、伝達手段３の２つの連絡部３１は、操作端部３０の左端と右端とからそれぞれ下方に延びるため、連絡部３１は駆動手段４に干渉しない位置に延びている。
【００２３】
第１スイッチ手段５は、棹状の第１連絡スイッチ部５０と、第１連絡スイッチ部５０の下端に枢支されている第１スイッチ本体部５１とを持つ。第１連絡スイッチ部５０の上端は第１アーム枢支孔４７ｂに枢支されている。第１スイッチ本体部５１の右下部には、左上方から右下方に延びる第１受圧面５１ａが形成されている。第２スイッチ手段６は、棹状の第２連絡スイッチ部６０と、第２連絡スイッチ部６０の下端に枢支されている第２スイッチ本体部６１とを持つ。第２連絡スイッチ部６０の上端は第２アーム枢支孔４８ｂに枢支されている。第２スイッチ本体部６１の左下部には、右上方から左下方に延びる第２受圧面６１ａが形成されている。第１スイッチ手段５および第２スイッチ手段６は上下にスライド移動してケース体８に対して変位する。
【００２４】
切換手段７は、傾動部材７０と案内部７１とを持つ。傾動部材７０は棹状をなす。傾動部材７０の上側端部には突起状の枢支部７０ａが形成され、略中央部には突起状の係合部７０ｂが形成されている。傾動部材７０の下側端面には略弧状の押圧部７０ｃが形成されている。枢支部７０ａは伝達手段３の切換端部３２に枢支されている。傾動部材７０は枢支部７０ａを中心に傾動可能である。
【００２５】
案内部７１は下側ベース体８６ｂに形成され、図８に示すように略∞状の貫通溝からなる。すなわち、案内部７１は下側ベース体８６ｂを介してケース体８に設けられている。傾動部材７０の係合部７０ｂは、案内部７１に係合し、案内部７１の内部をスライド移動する。案内部７１は、略環状に形成されている二つの膨部（７２、７３）を左右に向けて配されている。二つの膨部のうち左側（第１スイッチ手段５側）に配される第１膨部７２と、右側（第２スイッチ手段６側）に配される第２膨部７３とは、図略の交叉部によって連絡されている。図８に示すように、第１膨部７２のうち上側の部分を第１部７２ａと呼び、下側の部分を第２部７２ｂと呼ぶ。また、第２膨部７３のうち上側の部分を第３部７３ａと呼び下側の部分を第４部７３ｂと呼ぶ。
【００２６】
図１および８に示すように、案内部７１には、第１回転体７５、第２回転体７６および第３回転体７７が取り付けられている。第１回転体７５は第１膨部７２に対面する位置に取り付けられ。第２回転体７６は第２膨部７３に対面する位置に取り付けられている。第３回転体７７は交叉部に対面する位置に取り付けられている。第１回転体７５は、ギア状に形成されている第１主部７５ａと、円盤状の第１突出部７５ｂとが同軸的に一体化されてなる。第１突出部７５ｂは第１主部７５ａよりも小径であり、扇状の切り欠きを持つ。第２回転体７６も同様に、ギア状に形成されている第２主部７６ａと、円盤状の第２突出部７６ｂとが同軸的に一体化されてなる。第２突出部７６ｂは第２主部７６ａよりも小径であり、扇状の切り欠きを持つ。第１突出部７５ｂの一部は第１膨部７２内に突出し、第２突出部７６ｂの一部は第２膨部７３内に突出している。第３回転体７７は、ギア状に形成されている第３主部７７ａと、円盤状の第３突出部７７ｂとが同軸的に一体化されてなる。第３突出部７７ｂは第３主部７７ａよりも小径であり、軸心を通る一文字状の溝を持つ。
【００２７】
第３回転体７７のなかで、第３主部７７ａの外周面は第１回転体７５（第１主部７５ａ）の外周面と第２回転体７６（第２主部７６ａ）の外周面とに当接し噛み合っている。そして、第１回転体７５、第２回転体７６および第３回転体７７は互いに同期して回転する。第１回転体７５、第２回転体７６および第３回転体７７が回転することで、第３突出部７７ｂが案内部７１を開閉して、係合部７０ｂのスライド方向を規制する。詳しくは、係合部７０ｂは第１部７２ａ→第２部７２ｂ→交叉部→第３部７３ａ→第４部７３ｂ→交叉部７４→第１部７２ａの順にスライド移動する。なお、第２回転体７６の第２主部７６ａには、弧状に延びる規制溝が形成されている。規制溝には、下側ベース部に形成されている突起状の規制部が挿入されている。規制溝と規制部とによって、第１回転体７５、第２回転体７６、および第３回転体７７が回転し得る角度が規制されている。
【００２８】
実施例の開閉装置は、以下のように動作する。
【００２９】
左側蓋体１０および右側蓋体１１を図２に示す閉位置から図６に示す開位置に回動させる際には、先ず、操作手段２を下方に押圧操作する。操作手段２を押圧操作すると、図３に示すように、操作手段２が下方に変位し、伝達手段３もまた下方に変位する。伝達手段３が下方に変位すると、伝達手段３に枢支されている傾動部材７０が下方に押圧される。下方に押圧された傾動部材７０は、係合部７０ｂが案内部７１の第１部７２ａから第２部７２ｂに向けてスライド移動し、案内部７１に案内されて下方に変位する。すると、傾動部材７０の押圧部７０ｃが第１スイッチ本体部５１の第１受圧面５１ａを押圧して、第１スイッチ本体部５１を下方に変位させる。第１スイッチ本体部５１が下方に変位すると、第１スイッチ手段５を枢支している第１連絡スイッチ部５０が下方に引っ張られ、駆動手段４が開駆動位置に変位する。詳しくは、第１連絡スイッチ部５０が下方に引っ張られると、第１連絡スイッチ部５０を枢支している第１アーム体４７が下方に引っ張られる。すると、アーム部材４１が反時計回りに回動する。アーム部材４１が反時計回りに回動すると、第１アーム体４７の第１押圧面４７ａが入力部４３に形成されている長孔４５の前側に変位して、第２付勢手段４６のスライド端部４６ａを反時計回りに押圧する（図３）。
【００３０】
第１押圧面４７ａがスライド端部４６ａを反時計回りに押圧すると、第２付勢手段４６が圧縮されて弾性変形し、入力部４３を付勢して反時計回りに回動させる。すると、入力部４３に一体化されているギア部４２もまた反時計回りに回動する。すなわち、駆動手段４が開駆動位置に変位する。
【００３１】
右側蓋体１１の右前脚部１６ａは、ギア部４２と噛合っている。したがって、ギア部４２が反時計回りに回動すると、右側蓋体１１が時計回りに回動する。図５に示すように、右側蓋体１１の右後脚部１６ｂと、左側蓋体１０の左後脚部１６ｃとは、２つの蓋接続ギア１７を介して接続されているため、右側蓋体１１が時計回りに回動すると、左側蓋体１０が反時計回りに回動する。したがって、右側蓋体１１および左側蓋体１０は開位置に回動して、収容空間を開く（図４）。
【００３２】
なお、操作手段２は第１付勢手段によって上方に付勢されているため、操作手段２への押圧を止めると、操作手段２は再度上方に変位する（図６）。操作手段２が上方に変位すると、伝達手段３が操作手段２に従動して上方に変位し、傾動部材７０が上方に引っ張られる。傾動部材７０が上方に引っ張られると、係合部７０ｂが第２部７２ｂから第３部７３ａに向けてスライド移動する。したがって、傾動部材７０は枢支部７０ａを中心に傾動し、押圧部７０ｃが第２スイッチ本体部６１の第２受圧面６１ａ上に配される。
【００３３】
ところで、左側蓋体１０および右側蓋体１１が閉位置に配され、傾動部材７０の係合部７０ｂが第１部７２ａに配されているときには、図８に示すように、第１回転体７５の第１突出部７５ｂは、第２部７２ｂに張り出している。また、第３回転体７７の第３突出部７７ｂは第４部７３ｂと第１部７２ａとを連絡し、第２部７２ｂと第３部７３ａとの間を閉じている。左側蓋体１０および右側蓋体１１を閉位置から開位置に回動させる際に、傾動部材７０を下方に変位させると、係合部７０ｂは第１部７２ａから第２部７２ｂに向けてスライド移動し、第１突出部７５ｂを下方に押圧する。すると、図９に示すように、第１回転体７５が時計回りに回転し、第３回転体７７が反時計回りに回転して、第３突出部７７ｂが第２部７２ｂと第３部７３ａとを連絡し、第１部７２ａと第４部７３ｂとの間を閉じる。したがって、係合部７０ｂは第２部７２ｂから第３部７３ａに向けてスライド移動できるようになる。なお、第３回転体７７が反時計回りに回転すると、第２回転体７６が時計回りに回転して、第２突出部７６ｂが第４部７３ｂに張り出す。したがって、後述するように、係合部７０ｂが第３部７３ａから第４部７３ｂに向けてさらにスライド移動すると、係合部７０ｂに押圧された第２回転体７６が反時計回りに回転し、第３回転体７７が時計回りに回転する。したがって、第３突出部７７ｂは再度第１部７２ａと第４部７３ｂとを連絡し、第２部７２ｂと第３部７３ａとの間を閉じる。よって、係合部７０ｂは第４部７３ｂから第１部７２ａに向けてスライド移動できるようになる。
【００３４】
左側蓋体１０および右側蓋体１１を図６に示す開位置から図２に示す閉位置に回動させる際には、操作手段２を再度下方に押圧操作する。操作手段２を押圧操作すると、図７に示すように、操作手段２および伝達手段３が下方に変位し、伝達手段３に枢支されている傾動部材７０が下方に押圧される。下方に押圧された傾動部材７０は、係合部７０ｂが第３部７３ａから第４部７３ｂに向けてスライド移動して、下方に変位する。すると、傾動部材７０の押圧部７０ｃが第２スイッチ本体部６１の第２受圧面６１ａを押圧して、第２スイッチ本体部６１を下方に変位させる。第２スイッチ本体部６１が下方に変位すると、第２連絡スイッチ部６０が下方に引っ張られ、第２アーム体４８が下方に引っ張られる。すると、アーム部材４１が時計回りに回動し、第２アーム体４８の第２押圧面４８ａが第２付勢手段４６のスライド端部４６ａを時計回りに押圧する。すると、第２付勢手段４６が圧縮されて弾性変形し、入力部４３を付勢して時計回りに回動させる。入力部４３の時計回りの回動に伴って、ギア部４２が時計回りに回動する。ギア部４２が時計回りに回動すると、右側蓋体１１が反時計回りに回動し、左側蓋体１０が時計回りに回動する。したがって、右側蓋体１１および左側蓋体１０は閉位置に回動して、収容空間８５を閉じる。
【００３５】
なお、上述したように、傾動部材７０の係合部７０ｂが第３部７３ａから第４部７３ｂに向けてスライド移動する際に、第２回転体７６が反時計回りに回転し、第３回転体７７が時計回りに回転する。このため、係合部７０ｂは第１部７２ａから第４部７３ｂに向けてスライド移動できるようになる。したがって、操作手段２への押圧を止め、操作手段２および伝達手段３が上方に変位して、傾動部材７０が上方に引っ張られると、係合部７０ｂが第４部７３ｂから第１部７２ａに向けてスライド移動する。よって、傾動部材７０は枢支部７０ａを中心に傾動し、押圧部７０ｃが第１スイッチ体の第１受圧面５１ａ上に配される（図２）。
【００３６】
実施例の開閉装置は、１つの操作手段２によって左側蓋体１０および右側蓋体１１を開閉操作できる。したがって、ユーザーは手探りで蓋体１を開閉操作できる。また、操作手段２が１つのみで済むため、本発明の開閉装置を設けたコンソールボックス（収容装置）は、意匠性に優れる。さらに、実施例の開閉装置は、操作手段２→駆動手段４→切換手段７の順に各手段を配しているため、駆動手段４がケース体８の外部に露出することはなく、意匠性に優れる。さらに、連絡部３１が駆動手段４に干渉しない位置に延びているために、伝達手段３によって操作手段２に加わった力を切換手段７に伝達できるとともに、伝達手段３が駆動手段４に干渉することはなく、駆動手段４と伝達手段３とを確実に動作させ得る。よって実施例の開閉装置は小型化でき、省スペース化を実現できる。
【００３７】
実施例の開閉装置は、２つの蓋体（１０、１１）を持つが、蓋体は１つのみであっても良い。実施例の開閉装置では、蓋体１が回動して収容空間８５を開閉するが、その他の方法で収容空間８５を開閉しても良い。例えば、蓋体１はスライド移動して収容空間８５を開閉しても良い。この場合には、蓋体１にラックを形成し、このラックとギア部４２とを噛合わせればよい。
【００３８】
操作手段２は上下動するものに限らない。例えば、操作手段２として左右方向や前後方向にスライド移動するものを用いても良い。この場合には、伝達手段３や駆動手段４や切換手段７を、操作手段２が変位する方向に沿って配設すればよい。
【００３９】
駆動手段４は、第１スイッチ手段５および第２スイッチ手段６の往復移動に伴って変位し、蓋体１を開閉駆動し得るものであれば良く、実施例で用いた駆動手段４以外の既知構造からなるものを選択してもよい。また、切換手段７は、伝達手段３の変位に従動して第１スイッチ手段５と第２スイッチ手段６とを交互に押圧するものであればよく、実施例で用いた切換手段７以外の既知構造からなるものを選択しても良い。
【図面の簡単な説明】
【００４０】
【図１】実施例の開閉装置を模式的に表す切り欠き分解斜視図である。
【図２】実施例の開閉装置の動作を模式的に表す説明図である。
【図３】実施例の開閉装置の動作を模式的に表す説明図である。
【図４】実施例の開閉装置の動作を模式的に表す説明図である。
【図５】実施例の開閉装置の動作を模式的に表す説明図である。
【図６】実施例の開閉装置の動作を模式的に表す説明図である。
【図７】実施例の開閉装置の動作を模式的に表す説明図である。
【図８】実施例の開閉装置の動作を模式的に表す説明図である。
【図９】実施例の開閉装置の動作を模式的に表す説明図である。
【符号の説明】
【００４１】
１：蓋体、２：操作手段、３：伝達手段、４：駆動手段、５：第１スイッチ手段、６：第２スイッチ手段、７：切換手段
【図１】
2007237974.tif 000003
【図２】
2007237974.tif 000004
【図３】
2007237974.tif 000005
【図４】
2007237974.tif 000006
【図５】
2007237974.tif 000007
【図６】
2007237974.tif 000008
【図７】
2007237974.tif 000009
【図８】
2007237974.tif 000010
【図９】
2007237974.tif 000011